(57)【要約】【課題】通気孔の位置や大きさを自由に設定することができる襖。【解決手段】中桟３、７と上桟２、下桟６を用いて襖１の表裏面とをつなぐ通気板４Ａ、８を保持する構造としたことにより、襖１の襖本体部１０に開口部などを形成することなく襖本体部１０の長さを外枠１１の内側の縦方向の長さよりも所定長さ小さく形成するだけで、容易に襖１に通気孔１５を設けることができる。また、通気板４Ａ、４Ｂ、８を設ける位置が、襖１の襖本体部１０がダンボール製であるために、通常内部に配置される中骨などによって制限されることがないので、通気孔１５を好みの位置に設けることができる。さらに、通気孔１５が形成された通気板を、外枠１１内側の上下方向の高さ、または左右方向の幅に形成することができるので、通気孔１５を襖１の広い範囲にわたって形成することができる。【選択図】図１
0003120739.tif 000002
【実用新案登録請求の範囲】
【請求項１】
４本の桟によって構成された四角形状の外枠と、該外枠内に配置されたダンボール製の襖本体部とによって構成された襖であって、
前記外枠の対向する２辺間をつなぐ２本の中桟と、
該２本の中桟の間に配置されて、表裏面間を貫通する通気孔が設けられた通気部と、を備え、
前記２本の中桟は、
該中桟同士が対向する面にそれぞれ長手方向に延びる板嵌込溝が形成されて、該板嵌込溝に前記通気部が嵌め込まれ、
前記板嵌込溝が形成された側と反対側の面に本体嵌込溝が形成されて、前記襖本体部の端部が嵌め込まれ、
前記通気部に設けられた前記通気孔が、前記本体部の表裏面をつなぐことを特徴とする襖。
【請求項２】
前記２本の中桟のいずれか一方は、前記外枠を構成する４本の桟のいずれか１つによって構成され、該桟は前記通気部のみを保持することを特徴とする請求項１に記載の襖。
【請求項３】
前記通気部は、２枚の通気板と、該２枚の通気板間に配置されて前記板嵌込溝の溝形状両側面にそれぞれ前記通気板を押し付けるスペーサと、より構成され、
該スペーサによって、前記板嵌込溝内における前記２枚の通気板の位置が保持されることを特徴とする請求項１または２に記載の襖。
【請求項４】
四角形状の外枠と、該外枠内に配置されたダンボール製の襖本体部と、該襖本体部に設けられた貫通孔に嵌め込まれた引き手と、によって構成された襖であって、
前記引き手は、前記襖本体部の表裏面をつなぐ通気孔を有することを特徴とする襖。
【請求項５】
本体部と、該本体部の外周縁に設けられた嵌込部とによって構成され、襖の主面を構成するダンボール製の襖本体部に設けられた貫通孔に前記嵌込部が嵌め込まれる引き手において、
前記本体部に通気孔を有し、
前記襖の貫通孔に嵌め込まれた状態において、前記通気孔が襖の表裏面をつなぐことを特徴とする引き手。
【考案の詳細な説明】
【技術分野】
【０００１】
本考案は、襖の表裏面間をつなぐ通気孔を備えたダンボール製の襖に関する。
【背景技術】
【０００２】
従来、襖の表裏面をつなぐ通気孔を設けたものとして、例えば実開平５−３５７６号公報に記載されたものがある。
これは、襖の角部近傍に襖の表裏面をつなぐ四角形状の貫通孔を設け、該貫通孔に複数のスリットが設けられた板形状の換気具を嵌め込んだものである。
またこの換気具を嵌め込む貫通孔は、襖の強度低下を防止するため、襖の中骨を切断することがない位置に設けられるものである。
これにより、襖に換気具を嵌め込むだけで容易に襖の表裏面をつなぐ通気孔を設けることができる構成が記載されている。
【特許文献１】実開平５−３５７６号公報
【考案の開示】
【考案が解決しようとする課題】
【０００３】
しかしながら、襖に貫通孔を設けて換気具を嵌め込む場合には、襖の中骨を切断することがない位置にのみしか換気具を取り付けることができず、また通気孔の大きさも襖の中骨の配置によって限定されている。
したがって、通気孔の位置や大きさを自由に設定することができない。
さらにまた、換気具を取付けるための孔開け作業が必要である。
【課題を解決するための手段】
【０００４】
そこで本考案はこのような問題点に鑑み、通気孔の位置や大きさを自由に設定することができる襖を提供することを目的とする。
そのため本考案は、内部に中骨などの骨組みを必要としないダンボール製の本体部からなる襖において、襖の外枠の対向する２辺間をつなぐ２本の中桟間に、通気孔が設けられた通気部を配置し、２本の中桟同士が対向する面にそれぞれ形成された板嵌込溝に通気部を嵌め込んで保持することにより、通気部に設けられた通気孔によって襖の表裏面をつなぐものとした。
また、外枠を構成する桟を２本の中桟のうちいずれか一方として用い、外枠に隣接した位置に通気部を配置するものとした。
さらに、通気部を２枚の通気板によって構成し、中桟に形成された板嵌込溝に嵌め込んだ２枚の通気板を、該２枚の通気板間に配置されたスペーサによってそれぞれ板嵌込溝の溝形状両側面に押し付けて位置を固定するものとした。
また、襖の本体部に嵌め込まれた引き手に、襖本体部の表裏面間をつなぐ通気孔を設けるものとした。
【考案の効果】
【０００５】
本考案によれば、２本の中桟によって通気孔が設けられた通気部を保持することにより、襖の襖本体部に孔などを設ける必要がなく、また、襖本体部をダンボール製としてあることで、襖本体部内の骨組みなどによって通気部を設ける位置や大きさに制約を受けることがないので、所望の位置に、所望の大きさの通気部を設けることができる。
また、外枠を構成する桟を２本の中桟のうちいずれか一方として用いることにより、外枠に隣接した位置に通気部を配置することができる。
さらに通気部を２枚の通気板によって構成し、中桟の板嵌込溝に２枚の通気板を嵌め込んでスペーサによって通気板を板嵌込溝の溝側面に押し付ける構成としたので、通気部を軽量なものとすることができ、また中桟に形成された板嵌込溝の溝幅が変化したとしてもスペーサの幅を変更するだけで、通気板を板嵌込溝内に容易に固定することができる。
また、通常の襖の構成部品である引き手に通気孔を設けることにより、新たに通気孔を有する部品を用いることなく、襖に容易に通気孔を設けることができる。
【考案を実施するための最良の形態】
【０００６】
次に本考案の実施の形態を実施例により説明する。
まず第１の実施例について説明する。
図１は、襖の全体構成を示す図であり、図２（ａ）は、襖の角部周辺を示す拡大図であり、図２（ｂ）は、図２（ａ）におけるＡ−Ａ部断面図である。
図１に示すように、平行に配置された上桟２と下桟６と、該上桟２と下桟６の端部間をつなぐ縦桟９Ａ、９Ｂとによって四角形状の外枠１１が構成される。
上桟２と縦桟９Ｂは、図２（ａ）に示すように、上桟２と縦桟９Ｂの内部に配置されたＬ字形状のコーナーピース１３（破線で示す）によって連結されている。同様にして外枠１１の各角部にコーナーピースが配置されて各桟（上桟２、下桟６、縦桟９Ａ、９Ｂ）が連結されている。
【０００７】
特に図２（ｂ）に示すように上桟２は、断面がコの字形状となっており、コの字形状の開口側が外枠１１の内側に向けて配置されている。
なお、以下では上桟２のコの字形状の内側を板嵌込溝２Ａとも呼ぶ。
同様にして下桟６も、断面がコの字形状となっており、コの字形状の開口側が外枠１１の内側に向けて配置されている。
【０００８】
外枠１１の内部には、上桟２と下桟６との間の長さよりも短い長さの襖本体部１０が配置される。
なお襖本体部１０の横方向の長さ（図１中の左右方向の長さ）は、上桟２と下桟６の横方向の長さと整合している。
【０００９】
襖本体部１０の上端と下端（図１中の上端側と下端側）には、それぞれ中桟３、７が取り付けられている
特に図２（ｂ）に示すように、中桟３は断面がＨ形状に形成され、Ｈ形状の図２（ｂ）中の下側の凹部（以下、本体嵌込溝３Ｂと呼ぶ）が襖本体部１０の上端に嵌め込まれている。
中桟７も中桟３と同様に断面がＨ形状に形成され、Ｈ形状の板嵌込溝が襖本体部１０の下端に嵌め込まれている。
【００１０】
図２（ｂ）に示すように、上桟２と中桟３の間には、複数の通気孔１５が設けられた通気板４Ａ、４Ｂが配置される。
通気板４Ａ、４Ｂの図２（ｂ）中の上端側は、襖本体部１０の内側を向く上桟２の板嵌込溝２Ａ内に嵌め込まれ、通気板４Ａ、４Ｂの図２（ｂ）中の下端側は、中桟３の板嵌込溝３Ａ（断面Ｈ形状の図２（ｂ）中の上側の凹部）内に嵌め込まれている。
上桟２の板嵌込溝２Ａ内において、通気板４Ａ、４Ｂの間にスペーサ５Ａが配置される。
このスペーサ５Ａによって、通気板４Ａ、４Ｂが板嵌込溝２Ａの図２（ｂ）中の左右方向の面に押し付けられ、通気板４Ａ，４Ｂのがたつきが防止される。
同様にして中桟３の板嵌込溝３Ａ内において、通気板４Ａ、４Ｂの間にスペーサ５Ｂが配置され、通気板４Ａ、４Ｂを板嵌込溝３Ａの図２（ｂ）中の左右方向側の面に押し付けている。
【００１１】
またスペーサ５Ａ、５Ｂは、板嵌込溝２Ａ、３Ｂの溝内から突出することがない。
なお、スペーサ５Ａ、５Ｂの長さ（図１中の左右方向の長さ）は、上桟２、中桟３と同じ長さに形成されている。
したがって、図２（ａ）に示すように襖１を外面から見たときに、上桟２と中桟３の間に露出している通気板４Ａ、４Ｂに設けられた通気孔１５が、スペーサ５Ａ、５Ｂによって塞がれることがない。
この襖１を外面から見たときに上桟２と中桟３の間に露出している通気孔１５が、襖１の表裏面間を通過する空気の通り道となる。
また襖１の下側部分にも、上側部分と同様に下桟６と中桟７との間に複数の通気孔が設けられた２枚の通気板８が嵌め込まれ、２枚の通気板８間にスペーサが配置されている。
【００１２】
なお、襖１の上下方向側の端部近傍に、通気孔１５を有する通気板４Ａ、４Ｂ、８を設けるものとしたが、通気板４Ａ、４Ｂ、８を設ける位置はこれに限定されるものではない。
例えば、図３に示すように、襖１Ａの上方位置に襖本体部１０Ａ、下方位置に襖本体部１０Ｂが配置され、襖本体部１０Ａの下端に嵌め込まれた断面Ｈ形状の中桟３０と、襖本体部１０Ｂの上端に嵌め込まれた断面Ｈ形状の中桟３１との間に２枚の通気板３２を配置し、図示しないスペーサによって通気板３２を固定しても良い。
これにより、襖の上下方向の略中央位置において左右方向に延びる通気孔を有する襖１Ａを形成することができる。
また、通気板と、通気板を保持する中桟を襖の上下方向に配置することにより、襖の上下方向に延びる通気孔を形成することもできる。
なお本実施例において、通気板４Ａ、４Ｂ、８、およびスペーサ５Ａ、５Ｂが、本考案における通気部を構成する。
【００１３】
本実施例は以上のように構成され、中桟３、７と上桟２、下桟６を用いて襖１の表裏面とをつなぐ通気板４Ａ、４Ｂ、８を保持する構造としたことにより、襖１の襖本体部１０に開口部などを形成することなく襖本体部１０の長さを外枠１１の縦方向の長さよりも所定長さ小さく形成するだけで、容易に襖１に通気孔１５を設けることができる。
また、通気板４Ａ、４Ｂ、８を設ける位置が、ダンボール製の襖においては、襖本体部１０内部に中骨が配置されてないため、通気孔１５を所望の位置に設けることができる。
【００１４】
さらに、通気孔１５が形成された通気板を、外枠１１内側の上下方向の高さ、または左右方向の幅に形成することができるので、通気孔１５を襖１の広い範囲にわたって形成することができる。
また、上桟２と中桟３の板嵌込溝２Ａ、３Ａにそれぞれ２枚の通気板４Ａ、４Ｂを嵌め込んで、スペーサ５Ａ、５Ｂによって通気板４Ａ、４Ｂを板嵌込溝２Ａ、３Ａの溝側面に押し付ける構成としたので、襖１の表裏面間を空気が通る部分を軽量なものとすることができ、また上桟２や中桟３に形成された板嵌込溝２Ａ、３Ａの溝幅が変化したとしてもスペーサ５の幅を変更するだけで、通気板４Ａ、４Ｂを容易に板嵌込溝２Ａ、３Ａに固定することができる。
【００１５】
次に第２の実施例について説明する。
本実施例は、襖の引き手に通気孔を設けたものである。
図４（ａ）に、襖の引き手周囲を示し、図４（ｂ）に、図４（ａ）におけるＢ−Ｂ部断面を示す。
襖１Ｂの主面を構成する襖本体部１０Ｃに、襖本体部１０Ｃの表裏面を貫通する円形の貫通孔１２を形成する。
円筒形状の嵌込部２２と、嵌込部２２の一方の開口縁にその外周縁がつながるディスク形状の本体部２１と、嵌込部２２の他方の開口縁から外方に広がるドーナツ形状のストッパ部２３とより引き手２０が構成される。
引き手２０の本体部２１には、本体部２１の表裏面を貫通する通気孔２５が設けられている。
また嵌込部２２の外径は、襖本体部１０Ｃの貫通孔１２の内径と整合している。
【００１６】
襖本体部１０Ｂの一方側の面において、襖本体部１０Ｃの貫通孔１２に、本体部２１側から引き手２０を嵌め込む。
この嵌め込み時に、ストッパ部２３が襖本体部１０Ｃの面に係合することにより、引き手２０の貫通孔１２への嵌め込み深さが規制される。
また、襖本体部１０Ｃの他方側の面からも、上記と同様にして引き手２０を貫通孔１２に嵌め込む。
引き手２０に設けられた通気孔２５によって、襖１Ｂの表裏面間がつながれている。
襖１Ｂの開閉時において、使用者は引き手２０の凹み（本体部２１とストッパ部２３との段差）に指を引っ掛けて、襖１Ｂを移動させることができる。
【００１７】
本実施例は以上のように構成され、通常の襖の構成部品である引き手２０に通気孔２５を設けることにより、新たに通気孔を有する部品等を用いることなく、襖１Ｂに容易に通気孔２５を設けることができる。
また引き手２０は、襖１Ｂの襖本体部１０Ｃの任意の位置に取付可能であり、例えば図５に示すように、引き手２０を襖１Ｂの上段、中段、下段の３箇所に設けることもできる。
この場合には、襖１Ｂの表裏面間の換気効率をより高めることができる。
【図面の簡単な説明】
【００１８】
【図１】襖を示す全体図である。
【図２】通気板の取り付け構造を示す図である。
【図３】通気板の取り付け位置を変更した襖を示す全体図である。
【図４】襖の引き手を示す図である。
【図５】引き手を取り付けた襖を示す全体図である。
【符号の説明】
【００１９】
１、１Ａ、１Ｂ        襖
２        上桟
２Ａ、３Ａ        板嵌込溝
３、７        中桟
４Ａ、４Ｂ、８        通気板
５Ａ、５Ｂ        スペーサ
６        下桟
９Ａ、９Ｂ        縦桟
１０、１０Ａ、１０Ｂ、１０Ｃ        襖本体部
１１        外枠
１２        貫通孔
１３        コーナーピース
１５、２５        通気孔
２０        引き手
２１        本体部
２２        嵌込部
２３        ストッパ部
【図１】
0003120739.tif 000003
【図２】
0003120739.tif 000004
【図３】
0003120739.tif 000005
【図４】
0003120739.tif 000006
【図５】
0003120739.tif 000007